(57)【特許請求の範囲】
【請求項１】
マンション等の集合住宅に設置される宅配物収納ロッカシステムにおいて、
複数のロッカからなるロッカ部と、
前記ロッカ部と一体に設けられ、宅配物の受取人と、前記宅配物を収納するロッカとを指定する操作盤と、
前記指定されたロッカ内に前記宅配物が収納された場合にロッカのドアを施錠する施錠手段と、
前記宅配物が収納されたロッカを特定する宅配データを記憶する記憶手段と、
前記宅配データをバーコード化して記録した記録媒体であって、前記宅配物の受取人の郵便受け内に投入される配達状を出力するバーコード記録媒体出力手段と、
前記バーコードを読み取ることにより、前記宅配データを解読するバーコード解読手段と、
前記宅配データに対応するロッカを解錠する解錠手段と、
を有し、
前記解錠手段は、前記宅配物が収納された時刻から前記バーコード解読手段により前記バーコードが読み取られた時刻までの経過時間が、前記バーコードに予め設定されている有効時間以内の場合にのみ、前記バーコード解読手段により解読された宅配データに対応するロッカを解錠し、前記有効時間が切れた場合であっても、前記宅配物の受取人が保有するＩＤカードの挿入により、又は、前記宅配物の受取人による暗証番号の入力により、対応する居住者宛の宅配物が収納されているロッカのドアを解錠することを特徴とする宅配物収納ロッカシステム。
【請求項２】
前記操作盤により前記宅配物を収納するロッカが指定された際に、指定されたロッカが使用されているかどうかを判断し、使用されていないロッカに対する指定のみを有効にするロッカ指定判別手段を、さらに有することを特徴とする請求項１記載の宅配物収納ロッカシステム。
【発明の詳細な説明】
【０００１】
【産業上の利用分野】
本発明はマンション等の集合住宅に設置される宅配物収納ロッカシステムに関し、特にロッカの解錠方式を改良したロッカシステムに関する。
【０００２】
【従来の技術】
近年、マンション等の集合住宅では、居住者が不在のときでも宅配物を他人に預けることなく管理できるように、宅配物収納ロッカシステムを設置するようになっている。この宅配物収納ロッカシステムでは、カードリーダ、テンキーおよびマイコン等の電子装置が組み込まれている。
【０００３】
このような宅配物収納ロッカシステムでは、宅配人はキー操作等により受取人およびロッカを指定し、そのロッカ内に宅配物を収納する。宅配物が収納されると、操作盤に設けられたプリンタから受領書および配達状がプリントアウトされる。これらを受け取った宅配人は、配達通知書を受取人の居住室に対応した郵便受け箱に挿入し、受領書だけを持ち帰る。
【０００４】
一方、居住者は郵便受け箱内に配達通知書が入っていることを確認することによって、自分宛に宅配物が配達されていることを知る。居住者が宅配物をロッカから取り出す場合には、磁気カード等のＩＤカードの挿入や、テンキーによる暗証番号の入力や、予め住居人に渡されている鍵等によってロッカのドアを解錠し、宅配物を取り出す。
【０００５】
【発明が解決しようとする課題】
しかし、ＩＤカードや鍵等を用いてロッカを解錠する場合、居住者が配達状を確認したときに、そのＩＤカード等を所持しているとは限らないため、直ぐに宅配物を取り出すことができなかった。ＩＤカード等が居住者の部屋に置いてあるときは、居住者は部屋までＩＤカードを取りに戻らなければならない。
【０００６】
また、暗証番号によって解錠する場合、暗証番号を忘れてしまうと解錠できない。さらに、この暗証番号を用いた場合は、暗証番号が他人に知られてしまう危険性もある。
【０００７】
このように、従来は居住者が配達状を確認したときに、その場でロッカを解錠することができるとは限らず、宅配物を受け取るのに非常に手間がかかるという問題点があった。
【０００８】
本発明はこのような点に鑑みてなされたものであり、居住者が配達状を確認したときに、確実に宅配物を受け取ることができる宅配物収納ロッカシステムを提供することを目的とする。
【０００９】
【課題を解決するための手段】
本発明では上記課題を解決するために、マンション等の集合住宅に設置される宅配物収納ロッカシステムにおいて、複数のロッカからなるロッカ部と、前記ロッカ部と一体に設けられ、宅配物の受取人と、前記宅配物を収納するロッカとを指定する操作盤と、前記指定されたロッカ内に前記宅配物が収納された場合にロッカのドアを施錠する施錠手段と、前記宅配物が収納されたロッカを特定する宅配データを記憶する記憶手段と、前記宅配データをバーコード化して記録した記録媒体であって、前記宅配物の受取人の郵便受け内に投入される配達状を出力するバーコード記録媒体出力手段と、前記バーコードを読み取ることにより、前記宅配データを解読するバーコード解読手段と、前記宅配データに対応するロッカを解錠する解錠手段と、を有し、前記解錠手段は、前記宅配物が収納された時刻から前記バーコード解読手段により前記バーコードが読み取られた時刻までの経過時間が、前記バーコードに予め設定されている有効時間以内の場合にのみ、前記バーコード解読手段により解読された宅配データに対応するロッカを解錠し、前記有効時間が切れた場合であっても、前記宅配物の受取人が保有するＩＤカードの挿入により、又は、前記宅配物の受取人による暗証番号の入力により、対応する居住者宛の宅配物が収納されているロッカのドアを解錠することを特徴とする宅配物収納ロッカシステムが提供される。
【００１０】
【作用】
宅配人が、操作盤を操作することにより、宅配物の受取人と、宅配物を収納するロッカとを指定する。この指定されたロッカに宅配物が収納されると、施錠手段によりロッカが施錠される。そして、記憶手段は、その宅配物が収納されたロッカを特定する宅配データを記憶する。さらに、バーコード記憶媒体出力手段は、その宅配データをバーコード化して記録された記録媒体であって、宅配物の受取人の郵便受け内に投入される配達状を出力する。
【００１１】
受取人がバーコードのデータをバーコード解読手段に解読させると、解錠手段は、その解読されたデータに対応するロッカを解錠する。
その際、解錠手段は、宅配物が収納された時刻からバーコード解読手段によりバーコードが読み取られた時刻までの経過時間が、予め設定されている有効時間以内の場合にのみ、そのバーコード解読手段により解読された宅配データに対応するロッカを解錠する。
ただし、解錠手段は、有効時間が切れた場合であっても、宅配物の受取人が保有するＩＤカードの挿入により、又は、宅配物の受取人による暗証番号の入力により、対応する居住者宛の宅配物が収納されているロッカのドアを解錠する。
【００１２】
【実施例】
以下、本発明の一実施例を図面に基づいて説明する。
図１は本発明の概略構成を示すブロック図である。ロッカシステム１０内には、複数のロッカからなるロッカ部３０が設けられている。操作盤２０にはテンキー等の入力装置が設けられており、操作盤２０からの入力により、宅配物６０の受取人や、宅配物６０を収納するロッカ３１を指定する。施錠手段１は、指定されたロッカ３１に宅配物６０が収納されると、そのロッカ３１を施錠する。さらに、記憶手段２は、宅配物６０を収納したロッカ３１を特定する宅配データを記憶する。バーコード記録媒体出力手段３は、宅配物６０がロッカ３１に収納されると配達状５０として、宅配業者名や配達日時等の各種データをプリント・アウトするが、その際に、配達状５０の一部に、宅配データをコード化したバーコード４を同時に印刷する。宅配人は、バーコード４が印刷された配達状５０を、受取人の郵便受けに入れる。これで宅配物６０をロッカ３１に保管することができる。
【００１３】
受取人は、郵便受けに配達状５０が入っているのを確認するとバーコード解読手段５によって、配達状５０に印刷されているバーコードを読み取る。解錠手段６は、バーコード解読手段５で解読されたデータを記憶手段２に格納されているデータと照合し、一致しているデータがあれば対応するロッカ３１を解錠する。そして、受取人は、ロッカ３１から宅配物６０を取り出し、宅配物６０を受け取ることができる。
【００１４】
図２はマンションの入口に設置されるロッカシステムの全体構成図である。ロッカシステム１０は、主に操作盤２０とロッカ部３０から構成されている。なお、図示されていない各居住者の郵便受けが、このロッカシステム１０に隣接して設置されている。
【００１５】
操作盤２０の表面には、カード挿入口２１、テンキー２２、スピーカ２３、モニタ２４、配達状取り出し口２５、およびバーコード読み取り部２６が設けられている。
【００１６】
カード挿入口２１には、居住者がそれぞれ所有するＩＤカードが挿入される。テンキー２２は、宅配人が宅配物をロッカ内に収納する際に受取人の部屋番号等を入力するために用いられる。このテンキー２２の操作方法を含めた簡単な操作手順が、使用説明書２７に書かれている。スピーカ２３およびモニタ２４は、宅配人がテンキー２２による操作を行う際に画像や音声で指示を行うために用いられる。なお、モニタ２４にはＣＲＴまたは液晶表示装置等が使用される。配達状取り出し口２５は、宅配人が宅配物の配達を終了したときに受領書および配達状を受け取るために用いられる。バーコード読み取り部２６は、配達状に印刷されたバーコードを読み取るために設けられており、内部のバーコードリーダが発する赤外線によってバーコードが読み取られる。
【００１７】
また、操作盤２０には、ビデオカメラ２８およびモニタテレビ２９が設けられている。ビデオカメラ２８は常時ロッカシステム１０付近を撮影しており、この撮影した映像がモニタテレビ２９に映し出される。また、操作盤２０の下側には、放熱用の換気口２０ａが設けられている
ロッカ部３０は、大きさの異なる複数のロッカ３１〜４２から構成されており、宅配物の大きさに合わせて選択できるようになっている。
【００１８】
図３は操作盤２０内部のハードウェアの構成を示すブロック図である。制御回路ユニット８０は、プロセッサ構成の制御回路を搭載しており、ロッカシステム１０全体を制御する。この制御回路ユニット８０には、バーコードプリンタユニット８１、バーコードリーダユニット８２、カードリーダ８３、テンキー２２、音声回路８４、モデム８５、およびモニタ２４が電気的に接続されている。プリンタユニット８１は、予め用意された用紙に日付等をプリントし、受領書または配達状を配達状取り出し口２５から出力する。この際、配達状には受取人と宅配物を収納したロッカを示すバーコードを同時にプリントする。
【００１９】
ロッカ部３０の各ロッカ３１〜４２は、宅配物検知信号を制御回路ユニット８０に送る。また、制御回路ユニット８０は、ロッカ部３０に対して解錠用の信号電流を供給する。
【００２０】
制御回路ユニット８０内には、図示されていないメモリが設けられている。このメモリには、居住者とその部屋番号との対応を図るための居住者識別コード、現在宅配物が収納されているロッカおよびその受取人等が記憶されている。また、このメモリはバッテリでバックアップされており、電源供給が絶たれたときでも、その記憶内容を保持できるようになっている。
【００２１】
制御回路ユニット８０は、宅配人によるテンキー２２の操作に応じてモニタ２４の画面を切り換えたり、音声による指示を行ったりする。なお、音声の出力は、音声回路８４にて音声信号を成形し、コネクタ８０ａを介して音声回路８４に接続されたスピーカ２３により行う。
【００２２】
また、制御回路ユニット８０は、モデム８５およびコネクタ８０ｂを介して電話回線と接続されている。この電話回線には、ロッカシステム１０全体の使用状況等が送り出され、管理会社の中央管理装置に送られる。また、使用状況の他には、警報信号等も送られる。
【００２３】
図４はロッカ３１の構成を示す外観図である。ドア３１１の左側端部には、取手３１２が設けられている。ロッカ本体の取手３１２側には、施錠装置３１３が設けられている。この施錠装置３１３は、通常はドア３１１を施錠状態にしている。そして、操作盤２０内の制御回路ユニット８０から指令されたときのみ、ドア３１１を解錠する。また、施錠装置３１３は、所定の鍵を鍵挿入部３１４に挿入することにより、手動で解錠させることができる。
【００２４】
ロッカ３１内には収納検知装置３１５が設けられている。この収納検知装置３１５としては、例えば発光部３１５ａおよび受光部３１５ｂからなる光センサが用いられている。収納検知装置３１５は、ロッカ３１内に宅配物が収納されたことを検知すると、その検知信号を制御回路ユニット８０に送る。ロッカ３１の右上には、ロッカ番号３１６が付けられており、このロッカ３１のロッカ番号は「１」である。このロッカ番号は、ロッカ３１の「１」から順にロッカ４２の「１２」まで付けられている。なお、ロッカ３１の他のロッカ３２〜４２の構成については、大きさが異なる以外はロッカ３１とほぼ同じ構成を有するので、ここでは説明を省略する。
【００２５】
図５はテンキー２２を示す図である。テンキー２２には、全部で１５個のキーが設けられている。これらのキーのうち、開始キー２２１、確認キー２２２、および訂正キー２２３はそれぞれ一定の機能を有するキーである。各数値キー２２４〜２２ｃ、２２ｅは任意の数値を入力するためのキーである。また、「＃」キー２２ｄと、「＊」キー２２ｆとは目的に応じて任意に機能を設定できるキーである。
【００２６】
図６は配達状５０の例を示す図である。配達状５０の上部には、配達日（ＤＡＴＥ）５１、配達時刻（ＴＩＭＥ）５２、宅配物を収納したロッカ番号（ロッカＮＯ）５３、受取人の部屋番号（部屋ＮＯ）、および宅配業者名５５がプリントされている。この例では、配達日５１が１９９４年４月２５日、配達時刻５２が１３時３５分５秒、ロッカ番号が「４」、部屋番号が「３１６」である。
【００２７】
また、配達状５０の下部には、バーコード４がプリントされている。このバーコード４は、配達状５０の上部に書かれた内容等５１〜５５を、コード番号４ａのようにコード化し、さらにそのコード番号４ａをバーコード４に変換したものである。
【００２８】
次に、上記構成を有するロッカシステム１０の操作方法を説明する。
宅配人が宅配物６０を配達する場合には、テンキー２２のうち開始キー２２１を押し、モニタ２４の表示画面およびスピーカ２３からの音声指示に従ってテンキー２２による操作を進める。モニタ２４の画面上には、まず受取人の部屋がある棟番号を入力するための画面が表示されるので、宅配人は受取人の部屋がある棟番号を入力する。次に、受取人の部屋番号を入力するための画面がモニタ２４に表示されるので、宅配人は受取人の部屋番号を入力する。そうすると、その部屋番号に対応する部屋の居住者の氏名がモニタ２４に表示されるので、テンキー２２によって確認を行う。モニタ２４の画面上では宅配人の身分を入力する画面が表示される。さらに、登録されている宅配業者名等が表示されるので、宅配人は自分の宅配業者名をテンキー２２で選択指定する。
【００２９】
受取人と宅配人との確認がなされると、ロッカ部３０のロッカ３１〜４２の構成図が表示される。この構成図は、使用中のロッカは色を変えて表示される。宅配人が、空のロッカ（色が変えられていないロッカ）の中から宅配物の大きさに応じて一つのロッカを選択すると、選択されたロッカのドアが解錠される。宅配人がそのロッカに宅配物を収納してドアを閉めると自動的にドアが施錠される。
【００３０】
この操作が終了すると、配達状取り出し口２５からは、受領書およびバーコード４がプリントされた配達状５０が自動的に出力される。これらを受け取った宅配人は、配達状５０を受取人の郵便受け内に投入し、受領書を持ち帰る。
【００３１】
一方、居住者は、帰宅時等に自分の郵便受け内に配達状５０が投入されているのを確認することにより、宅配物６０が配達されていることを知る。居住者は、配達状５０のバーコード４をロッカ部３０のバーコード読み取り部２６に  押し当てることによって、バーコードリーダユニット８２にバーコード４を読取らせる。読み取られたバーコード４のデータは、制御回路ユニット８０で解読され、制御回路ユニット８０内のメモリに格納されているデータと照合される。その結果一致したデータがあればそのロッカのドアを解錠する。これにより、居住者は容易に宅配物６０を取り出すことができる。
【００３２】
この際、バーコード４の有効時間を設定し、宅配物６０が収納されてからバーコード４のデータが読み取られるまでの時間が、設定値以内の場合にのみロッカが解錠されるようにすることもできる。例えば、有効時間を２４時間に設定しておいた場合、宅配物６０が収納されてから２４時間以内であれば、バーコード４によってロッカを解錠することができる。もし、受取人が有効時間以内に宅配物６０を引き取れなかった場合、ＩＤカードをカード挿入口２１に挿入する。カードリーダ８３は、挿入されたＩＤカードの識別コードを読み取り、対応する居住者宛の宅配物６０が収納されているロッカのドアを解錠する。
【００３３】
このように、有効時間を設けることによって、バーコード４が悪用されることを防止することができる。そして、その場合には、ＩＤカードのようなバーコード４以外の解錠手段を併用する。
【００３４】
次に、前記の方法で操作されたときのロッカシステム１０の制御手順をフローチャートを用いて説明する。
図７は宅配物６０をロッカに収納する際の入居者確認までのフローチャートである。このフローチャートは、ロッカシステム１０が待機状態のときに開始キー２２１が入力されることによって開始される。
〔Ｓ１〕棟区分があるかどうかを判断し、あればステップ２に進み、なければステップ６に進む。
〔Ｓ２〕モニタ２４に、棟選択画面を表示する。
〔Ｓ３〕棟番号の入力を受け付ける。
〔Ｓ４〕入力された棟番号が登録された棟番号かどうかを判断し、登録されていればステップ６に進み、登録されていなければステップ５に進む。
〔Ｓ５〕モニタ２４に、「入力された棟番号は、登録されておりません。」と表示し、ステップ２に進む。
〔Ｓ６〕モニタ２４に、部屋選択画面を表示する。
〔Ｓ７〕部屋番号の入力を受け付ける。
〔Ｓ８〕入力された部屋番号が登録された部屋番号かどうかを判断し、登録されていればステップ１０に進み、登録されていなければステップ９に進む。
〔Ｓ９〕モニタ２４に、「入力された部屋番号は、登録されておりません。」と表示し、ステップ６に進む。
〔Ｓ１０〕モニタ２４に、入居者氏名を表示する。
〔Ｓ１１〕確認キー２２２が入力されたかどうかを判断し、入力されれば図８のステップ１３に進み、入力されなければステップ１２に進む。
〔Ｓ１２〕訂正キー２２３が入力されたかどうかを判断し、入力されればステップ６に進み、入力されなければステップ１１に進む。
【００３５】
このようにして、受取人が確定する。この受取人のデータは、図１に示す記憶手段２に格納される。
図８は宅配物６０をロッカに収納する際の業者選択のフローチャートである。〔Ｓ１３〕モニタ２４に、業者選択画面を表示する。
〔Ｓ１４〕業者番号の入力を受け付ける。
〔Ｓ１５〕入力された業者番号が登録された業者番号かどうかを判断し、登録されていればステップ１７に進み、登録されていなければステップ１６に進む。
〔Ｓ１６〕モニタ２４に、「入力された業者番号は、登録されておりません。」と表示し、ステップ１３に進む。
〔Ｓ１７〕モニタ２４に、選択業者名を表示する。
〔Ｓ１８〕確認キー２２２が入力されたかどうかを判断し、入力されれば図９のステップ２０に進み、入力されていなければステップ１９に進む。
〔Ｓ１９〕開始キー２２１が入力されたかどうかを判断し、入力されればステップ１３に進み、入力されなければステップ１８に進む。
【００３６】
図９は宅配物６０をロッカに収納する際のロッカ選択から宅配物６０の収納完了までのフローチャートである。
〔Ｓ２０〕モニタ２４に、ロッカ構成画面を表示する。この際、すでに使用されているロッカは、色を変えて表示する。
〔Ｓ２１〕ロッカ番号の入力を受け付ける。
〔Ｓ２２〕入力されたロッカ番号が空きロッカかどうかを判断し、空いていればステップ２４に進み、空いていなければステップ２３に進む。
〔Ｓ２３〕モニタ２４に、「入力されたロッカは、使用できません。」と表示し、ステップ２０に進む。
〔Ｓ２４〕モニタ２４に、選択ロッカ番号を表示する。
〔Ｓ２５〕確認キー２２２が入力されたかどうかを判断し、入力されればステップ２７に進み、入力されていなければステップ２６に進む。
〔Ｓ２６〕開始キー２２１が入力されたかどうかを判断し、入力されればステップ２０に進み、入力されていなければステップ２５に進む。
〔Ｓ２７〕ロッカを解錠し、ドアを開ける。
〔Ｓ２８〕ドアが開いたかどうかを判断し、開けばステップ３１に進み、開かなければステップ２９に進む。
〔Ｓ２９〕ドアを開ける動作が５回目かどうかを判断し、５回目であればステップ３０に進み、５回目でなければステップ２７に進む。
〔Ｓ３０〕モニタ２４に、「指定されたロッカのドアが開きません。」と表示し、ステップ３６に進む。
〔Ｓ３１〕作業者によって、ドアが閉められたことを検出する。
〔Ｓ３２〕ロッカ内の宅配物６０があるかどうかを判断し、宅配物６０があればステップ３４に進み、なければステップ３３に進む。
〔Ｓ３３〕モニタ２４に、「指定されたロッカには、宅配物６０が収納されていません。」と表示し、ステップ３６に進む。
〔Ｓ３４〕ロッカを施錠する。これは、図１に示す施錠手段１が行う機能である。
〔Ｓ３５〕受領書、および配達状５０を発行する。これは、図１に示すバーコード記録媒体出力手段３が行う機能である。
〔Ｓ３６〕ロッカシステム１０を待機状態にする。
【００３７】
このようにして、宅配物６０はロッカに収納される。なお、宅配物６０を収納したロッカのデータは、図１に示す記憶手段２に格納される。
図１０は受取人が宅配物６０を受け取る際のロッカシステム１０の処理手順を示すフローチャートである。このフローチャートは、バーコード読み取り部２６に配達状５０のバーコード４が押し当てられたときに開始される。
〔Ｓ４１〕配達状５０のバーコード４を読み取る。これは、図１に示すバーコード解読手段５が行う機能である。
〔Ｓ４２〕読み取ったデータを、記憶手段２に記憶されているデータと比べ、有効なデータであるかどうかを判断し、有効であればステップ４４に進み、有効でなければステップ４３に進む。この際、バーコード４の有効時間以内であるかどうかも判断する。
〔Ｓ４３〕モニタ２４に、「バーコードのデータが無効です。」と表示し、ステップ４９に進む。
〔Ｓ４４〕ロッカのドアを解錠し、ドアを開く。
〔Ｓ４５〕ドアが開いたかどうかを判断し、開いていればステップ４７に進み、開いていなければステップ４６に進む。
〔Ｓ４６〕モニタ２４に、「指定されたロッカのドアが開きません。」と表示し、ステップ４９に進む。
〔Ｓ４７〕ドアが閉められたことを検出する。
〔Ｓ４８〕宅配物６０が取り出されたかどうかを判断し、取り出されていればステップ４９に進み、取り出されていなければステップ４８を繰り返す。
〔Ｓ４９〕ロッカシステム１０を待機状態にする。
【００３８】
このようにして、配達状５０にプリントされたバーコード４を用いて、宅配物を受取人に引き渡すことができる。そのため、受取人は配達通知書を確認したときに、その場で確実にロッカを解錠することができ、宅配物を非常に容易に受け取るこがとができる。しかも、受取人が常にＩＤカードを所持している必要がなく、暗証番号を記憶しておく必要もない。さらに、バーコード４には有効時間を設けたため、バーコード４が不正に使用されることを防止することができる。
【００３９】
上記の実施例では、バーコード４の有効時間が切れた場合には、ＩＤカードでロッカを解錠するとしているが、暗証番号でロッカを解錠するように構成することもできる。
【００４０】
【発明の効果】
以上説明したように本発明では、ロッカに宅配物を収納した際に、受取人と宅配物を収納したロッカのデータをバーコードとして出力し、宅配物を受け取る際には、そのバーコードを読み取ることによって、宅配物を収納したロッカが解錠できるようにしたため、受取人は、宅配物が配達されたことを知った際に、確実に、しかも容易に宅配物を受け取ることができる。
さらに、バーコードには有効時間を設けたため、バーコードが不正に使用されることを防止することができる。
【図面の簡単な説明】
【図１】本発明の概略構成を示すブロック図である。
【図２】マンションの入口に設置されるロッカシステムの全体構成図である。
【図３】操作盤内部のハードウェアの構成を示すブロック図である。
【図４】ロッカの構成を示す外観図である。
【図５】テンキーを示す図である。
【図６】配達状の例を示す図である。
【図７】宅配物をロッカに収納する際の入居者確認までのフローチャートである。
【図８】宅配物をロッカに収納する際の業者選択のフローチャートである。
【図９】宅配物をロッカに収納する際のロッカ選択から宅配物の収納完了までのフローチャートである。
【図１０】受取人が宅配物を受け取る際のロッカシステムの処理手順を示すフローチャートである。
【符号の説明】
１  施錠手段
２  記憶手段
３  バーコード記録媒体出力手段
４  バーコード
５  バーコード解読手段
６  解錠手段
１０  ロッカシステム
２０  操作盤
３０  ロッカ部
３１〜４２  ロッカ
５０  配達状
６０  宅配物
【図１】
0003615787.tif 000002
【図２】
0003615787.tif 000003
【図３】
0003615787.tif 000004
【図４】
0003615787.tif 000005
【図５】
0003615787.tif 000006
【図６】
0003615787.tif 000007
【図７】
0003615787.tif 000008
【図８】
0003615787.tif 000009
【図９】
0003615787.tif 000010
【図１０】
0003615787.tif 000011